(57)【要約】  複数のマルチメディア・コンテンツ・レコード用のグループ再生リストを提供する方法は、ユーザネットワークに関連付けられた複数のユーザのそれぞれを、グループ再生リストのマルチメディア・コンテンツ・レコードの対応する１つのレコードに関連付けるステップを含む。ユーザネットワークに関連付けられた複数のユーザのそれぞれのプレゼンス状態が検出される。グループ再生リストのマルチメディア・コンテンツ・レコードをネットワークに関連付けられたユーザに対して再生するステップは、検出されたプレゼンス状態に基づいて自動的に調整される。ユーザネットワークは、例えばコンピュータベースのソーシャルネットワークであってもよい。
2010526452.tif 000002
【特許請求の範囲】
【請求項１】
複数のマルチメディア・コンテンツ・レコード用のグループ再生リストを提供する方法であって、
ユーザネットワークに関連付けられた複数のユーザのそれぞれを、前記グループ再生リスト上の前記マルチメディア・コンテンツ・レコードの中の対応するレコードに関連付けるステップと、
前記ユーザネットワークに関連付けられた前記複数のユーザのそれぞれのプレゼンス状態を検出するステップと、
検出された前記プレゼンス状態に基づき、前記ユーザネットワークに関連付けられたユーザへの前記グループ再生リスト上の前記マルチメディア・コンテンツ・レコードの再生を自動的に調整するステップと
を含むことを特徴とする方法。
【請求項２】
前記ユーザネットワークは、コンピュータベースのソーシャルネットワークを含むことを特徴とする請求項１に記載の方法。
【請求項３】
再生を自動的に調整する前記ステップは、
前記複数のユーザのそれぞれが前記ユーザネットワーク上に存在していないことを示すプレゼンス状態を有する前記複数のユーザのそれぞれに関連付けられた前記グループ再生リスト上のマルチメディア・コンテンツ・レコードの再生をスキップするステップを含むことを特徴とする請求項１に記載の方法。
【請求項４】
再生を自動的に調整する前記ステップは、
前記複数のユーザのそれぞれが前記ユーザネットワーク上に存在していないことを示すプレゼンス状態を有する前記複数のユーザのそれぞれに関連付けられた前記グループ再生リスト上のマルチメディア・コンテンツ・レコードを再生しながら、前記複数のユーザのそれぞれが前記ユーザネットワーク上に存在していないことを示すプレゼンス状態を有する前記複数のユーザのそれぞれのプレゼンス状態を表示するステップを含むことを特徴とする請求項１に記載の方法。
【請求項５】
前記複数のユーザは、それぞれの通信端末に関連付けられ、
前記方法は、
現在再生されている前記マルチメディア・コンテンツ・レコードの１つにアクティブユーザとして関連付けられた前記複数のユーザのそれぞれを特定するステップと、
前記アクティブユーザとの通信を行なうために前記複数のユーザの中で１人の要求側ユーザから要求を受信するステップと、
前記アクティブユーザと前記要求側ユーザとに関連付けられた各通信端末の間で、受信した前記要求に応答して通信接続を自動的に確立するステップと
をさらに含むことを特徴とする請求項１に記載の方法。
【請求項６】
前記要求側ユーザと前記アクティブユーザとに関連付けられた各通信端末は、無線移動端末を含み、
前記通信接続は、プッシュ・ツー・トーク（ＰＴＴ）通信接続を含み、
前記要求を受信する前記ステップは、前記要求側ユーザのＰＴＴ機能の選択を検出するステップを含むことを特徴とする請求項５に記載の方法。
【請求項７】
前記通信接続を自動的に確立する前記ステップは、前記ＰＴＴ機能に関連付けられた連絡先リストにおける前記アクティブユーザの識別子を優先するステップを含むことを特徴とする請求項６に記載の方法。
【請求項８】
前記識別子を優先する前記ステップは、前記連絡先リストの先頭に当該識別子を配置するステップを含むことを特徴とする請求項７に記載の方法。
【請求項９】
前記要求側ユーザと前記アクティブユーザとに関連付けられた各通信端末は、無線移動端末を含み、
前記通信接続は、テキスト・メッセージ送信を含み、
前記通信接続を自動的に確立する前記ステップは、前記要求側ユーザの前記通信端末におけるテキスト・メッセージ機能に関連付けられた連絡先リスト内の前記アクティブユーザの識別子を優先するステップを含むことを特徴とする請求項５に記載の方法。
【請求項１０】
要求を受信する前記ステップは、前記アクティブユーザを特定することに応じて前記アクティブユーザの前記通信端末と通信を行なうように、前記要求側ユーザの前記通信端末を構成するステップに先行して実行されることを特徴とする請求項５に記載の方法。
【請求項１１】
前記要求側ユーザと前記アクティブユーザとに関連付けられた各通信端末は、無線移動端末を含み、
前記通信接続は、プッシュ・ツー・トーク（ＰＴＴ）通信接続を含み、
前記要求を受信する前記ステップは、前記要求側ユーザのＰＴＴ機能の選択を検出するステップを含み、
前記要求側ユーザの前記通信端末を構成する前記ステップは、ＰＴＴ機能に関連付けられた連絡先リスト内の前記アクティブユーザの識別子を優先するステップを含むことを特徴とする請求項１０に記載の方法。
【請求項１２】
前記識別子を優先する前記ステップは、前記連絡先リストの先頭に当該識別子を配置するステップを含むことを特徴とする請求項１１に記載の方法。
【請求項１３】
前記マルチメディア・コンテンツ・レコードの各レコードは、前記グループ再生リスト上のそれぞれのスロットに関連付けられ、
前記グループ再生リスト上の前記スロットは、前記複数のユーザの中で対応するユーザに関連付けられることを特徴とする請求項１に記載の方法。
【請求項１４】
複数のユーザのそれぞれを関連付ける前記ステップは、前記複数のユーザの中で前記対応するユーザから、前記グループ再生リスト上のそれぞれのスロットに関連付けられるべき前記マルチメディア・コンテンツ・レコードの識別子を受信するステップを含むことを特徴とする請求項１３に記載の方法。
【請求項１５】
前記識別子を受信する前記ステップは、前記マルチメディア・コンテンツ・レコードを受信するステップを含むことを特徴とする請求項１４に記載の方法。
【請求項１６】
前記識別子を受信する前記ステップは、前記マルチメディア・コンテンツ・レコードが再生用に取り出される記憶装置及び記憶アドレスの少なくとも１つの指定情報を受信するステップを含むことを特徴とする請求項１４に記載の方法。
【請求項１７】
複数のユーザのそれぞれを関連付ける前記ステップは、前記複数のユーザの中で前記対応するユーザから、前記グループ再生リストの単一のスロットに関連付けられるべき前記マルチメディア・コンテンツ・レコードの複数の識別子を受信するステップをさらに含み、
前記複数の識別子のそれぞれは、関連付けられたユーザ状態の情報を有し、
再生を自動的に調整する前記ステップは、
前記グループ再生リストの前記単一のスロットに関連付けられたユーザのそれぞれに関連付けられた現在の状態を検出するステップと、
前記複数のユーザのそれぞれの検出された前記現在の状態と、前記複数の識別子の関連付けられた前記ユーザ状態との比較に基づき、前記単一のスロット用に再生されるべき前記マルチメディア・コンテンツ・レコードに対応するように前記単一のスロット用に受信された前記複数の識別子の１つを選択するステップと
をさらに含むことを特徴とする請求項１４に記載の方法。
【請求項１８】
請求項１に記載の方法を実行するように構成された通信システム。
【請求項１９】
複数のマルチメディア・コンテンツ・レコード用のグループ再生リストを提供する、コンピュータで読み取り可能な媒体に記憶されたコンピュータプログラムであって、
請求項１に記載の方法を実行するように構成されたプログラムコードを含むことを特徴とするコンピュータプログラム。
【請求項２０】
複数のマルチメディア・コンテンツ・レコードを含み、コンピュータベースのソーシャルネットワークに関連付けられているグループ再生リストを再生する方法であって、
前記グループ再生リスト上の前記マルチメディア・コンテンツ・レコードの１つのレコードと対応するように前記ソーシャルネットワークに関連付けられたアクティブユーザを特定するステップと、
前記アクティブユーザのプレゼンス状態を検出するステップと、
検出された前記プレゼンス状態に基づき、前記グループ再生リスト上の前記マルチメディア・コンテンツ・レコードの再生を自動的に調整するステップと
を含むことを特徴とする方法。
【請求項２１】
前記プレゼンス状態を検出する前記ステップは、前記アクティブユーザが前記ソーシャルネットワーク上に存在しないことを検出するステップを含み、
再生を自動的に調整する前記ステップは、前記アクティブユーザが前記ソーシャルネットワーク上に存在しないことを検出することに応じて、前記マルチメディア・コンテンツ・レコードの１つのレコードの再生をスキップするステップを含むことを特徴とする請求項２０に記載の方法。
【請求項２２】
前記プレゼンス状態を検出する前記ステップは、前記アクティブユーザが前記ソーシャルネットワーク上に存在することを検出するステップを含み、
再生を自動的に調整する前記ステップは、前記アクティブユーザが前記ソーシャルネットワーク上に存在することを検出することに応じて、前記マルチメディア・コンテンツ・レコードの１つのレコードを再生するステップを含み、
前記方法は、
前記マルチメディア・コンテンツ・レコードの１つのレコードを再生する間に、通信を行なうために要求を受信するステップと、
受信した前記要求に応じて、前記アクティブユーザへの通信接続を自動的に確立するステップと
をさらに含むことを特徴とする請求項２０に記載の方法。
【請求項２３】
前記通信接続がＰＴＴ通信接続を含み、前記要求を受信する前記ステップがプッシュ・ツー・トーク（ＰＴＴ）機能の選択を検出するステップ含むことと、前記通信接続がテキストメッセージを含み、前記要求を受信する前記ステップがテキストメッセージを送信するために要求を受信するステップを含むこととの少なくとも一方であることを特徴とする請求項２２に記載の方法。
【請求項２４】
請求項２０に記載の方法を実行するように構成された無線移動端末。
【請求項２５】
複数のマルチメディア・コンテンツ・レコードを含み、コンピュータベースのソーシャルネットワークに関連付けられているグループ再生リストを再生する、コンピュータで読み取り可能な媒体に記憶されたコンピュータプログラムであって、
請求項２０に記載の方法を実行するように構成されたプログラムコードを含むことを特徴とするコンピュータプログラム。
【請求項２６】
複数のマルチメディア・コンテンツ・レコードを含み、コンピュータベースのソーシャルネットワークに関連付けられているグループ再生リストを再生するシステムであって、
前記ソーシャルネットワークに関連付けられた複数のユーザのそれぞれを、前記グループ再生リスト上の前記マルチメディア・コンテンツ・レコードの対応するそれぞれのレコードに関連付けるステップを含む、前記グループ再生リストを生成する生成部と、
前記ソーシャルネットワーク上のユーザのそれぞれのプレゼンス状態を検出するプレゼンス検出部と、
現在のレコードに関連付けられた複数のユーザの中のアクティブユーザが前記ソーシャルネットワーク上に存在しないことを検出することに応じて、前記グループ再生リストの前記現在のレコードの再生を調整するステップを含み、それぞれのユーザの検出された前記プレゼンス状態に基づいて前記ソーシャルネットワークに関連付けられたユーザに対して、前記グループ再生リスト上の前記マルチメディア・コンテンツ・レコードを再生する再生部と
を備えることを特徴とするシステム。
【請求項２７】
前記現在のレコードに関連付けられた前記マルチメディア・コンテンツ・レコードを再生している間に受信された要求に応答して、前記複数のユーザの中の前記アクティブユーザと前記複数のユーザの中の要求側ユーザとに関連付けられたそれぞれの通信端末の間で通信接続を自動的に確立する通信部をさらに備えることを特徴とする請求項２６に記載のシステム。
【発明の詳細な説明】
【技術分野】
【０００１】
本発明は、電子装置に関し、特に、オーディオファイルと、ビデオファイルと、画像ファイルとのうちの少なくともいずれかのようなマルチメディア・コンテンツ・レコードを再生するための電子装置、方法、及びコンピュータプログラムに関するものである。
【背景技術】
【０００２】
デジタルオーディオファイルの保存と再生を行うための（セルラ電話機などの）無線通信端末などの電子装置が広く使用されている。さらに、電子装置は、デジタル画像ファイルとデジタルビデオファイルの少なくともいずれかのような他のタイプのマルチメディアファイルの保存に用いることができる。マルチメディアファイルは、オーディオ情報、ビジュアル情報又はテキスト情報を含む任意の他のタイプのファイルを含むものであってもよい。例えば、本明細書で使用されているように、「マルチメディア」ファイルは、オーディオファイル、画像ファイル、ビデオファイルのうちの少なくともいずれかのような一般的マルチメディアファイルに加えて、あるいは、これらの代わりに、ＭＭＳ又はＰＰＴメッセージファイルを含むものであってもよい。
【０００３】
デジタルオーディオファイルは一般に、ＭＰ３、ＡＩＦＦのような圧縮されたデジタル形式と、その他のデジタル形式の少なくともいずれかの形式で保存される。移動電子装置にとって利用可能な限られた電力量に起因して、デジタルオーディオファイルは、一般に、個人用ヘッドホンと、電源が供給されないスピーカの少なくともいずれかを介して低出力レベルで再生され、これによって、１人だけ又は比較的少数の人々がオーディオファイルを聴くことが可能となる。電源が供給される増幅スピーカ及びドッキング・ステーションを用いて、より高いパワーレベルでオーディオファイルの再生を行うことは可能である。しかし、このような装置は、特別のハードウェアインタフェースにのみに適しているか、限られた数のリスナー用としてのみまだ有用であると考えられる。
【０００４】
移動電子装置によっては、デジタル画像ファイルとデジタルビデオファイルとの少なくともいずれかの表示／再生を行う能力を有するビデオ画面及び関連する駆動回路を含むものもある。しかし、小型、低出力、携帯性のうちの少なくともいずれかの一般的要件に起因して、移動電子装置は、一般に、単独の個人又は多くても数人の人々によってしか視聴できない小さいビデオ画面を含むものとなる。
【０００５】
マイ・スペース（MySpace）及びフェイスブック（Facebook）のようなコンピュータベースのソーシャルネットワーキンググループをサポートするためにプロセッサベースの電子計算装置もさらに頻繁に用いられている。このようなユーザベースのソーシャルネットワークにおいて、グループメンバであるユーザは他のグループメンバと通信等の交換を行うことができる。
【０００６】
マルチメディアファイル用の再生リスト等の共有を容易にする他のタイプのネットワークアプリケーションが開発されている。例えば、再生リストの共有を可能にする音楽推奨システムが提案されている。
【発明の概要】
【０００７】
本発明のいくつかの実施形態では、複数のマルチメディア・コンテンツ・レコード用のグループ再生リストを提供する方法が、ユーザネットワークに関連付けられた複数のユーザのそれぞれを、グループ再生リストのマルチメディア・コンテンツ・レコードの中の対応するレコードに関連付けるステップを含むものとなる。ユーザネットワークに関連付けられた複数のユーザのそれぞれのプレゼンス状態が検出される。グループ再生リストのマルチメディア・コンテンツ・レコードをネットワークに関連付けられたユーザに対して再生するステップは、検出されたプレゼンス状態に基づいて自動的に調整される。ユーザネットワークは、例えばコンピュータベースのソーシャルネットワークであってもよい。
【０００８】
別の実施形態では、再生を自動的に調整するステップが、複数のユーザのそれぞれがユーザネットワーク上に存在していないことを示すプレゼンス状態を有する複数のユーザのそれぞれに関連付けられたグループ再生リスト上のマルチメディア・コンテンツ・レコードの再生をスキップするステップを含む。存在していないユーザに関連付けられたグループ再生リストのマルチメディア・コンテンツ・レコードを再生しながら、存在していないユーザの１人のプレゼンス状態を表示することができる。
【０００９】
別の実施形態では、複数のユーザはそれぞれの通信端末に関連付けられる。これらの方法は、現在再生されているマルチメディア・コンテンツ・レコードの１つにアクティブユーザとして関連付けられた複数のユーザのそれぞれを特定するステップをさらに含むものとなる。アクティブユーザとの通信を行うために１人の要求側ユーザから要求が受信される。アクティブユーザと、要求側ユーザとに関連付けられたそれぞれの通信端末の間で、受信した要求に応答して通信接続が自動的に確立される。要求の受信ステップは、アクティブユーザを特定するステップに応じて、アクティブユーザの通信端末と通信を行うことができるように、要求側ユーザの通信端末を構成するステップに先行して実行される。要求側ユーザとアクティブユーザとに関連付けられた各通信端末は無線移動端末であってもよく、そして、通信接続はプッシュ・ツー・トーク（ＰＴＴ）通信接続であってもよい。要求を受信するステップは要求側ユーザのＰＴＴ機能の選択を検出するステップを含んでもよい。通信接続を自動的に確立するステップは、ＰＴＴ機能に関連付けられた連絡先リスト内のアクティブユーザの識別子を優先するステップを含んでもよい。識別子を優先するステップは連絡先リストの先頭に識別子を配置するステップを含んでもよい。
【００１０】
別の実施形態では、通信接続はテキストメッセージの送信を含むものとなる。通信接続を自動的に確立するステップは、要求側ユーザの通信端末のテキストメッセージ機能に関連付けられた連絡先リスト内のアクティブユーザの識別子を優先するステップを含むものとなる。
【００１１】
別の実施形態では、マルチメディア・コンテンツ・レコードの各レコードはグループ再生リスト上のそれぞれのスロットに関連付けられる。グループ再生リストのスロットは複数のユーザの中で対応するユーザに関連付けられる。ユーザのそれぞれを関連付けるステップは、グループ再生リストのそれぞれのスロットに関連付けられるべきマルチメディア・コンテンツ・レコードの識別子を対応するユーザから受信するステップを含んでもよい。識別子を受信するステップはマルチメディア・コンテンツ・レコードを受信するステップを含んでもよい。識別子を受信するステップは、記憶装置の指定と、再生するためのマルチメディア・コンテンツ・レコードを取得することができる取得元の記憶アドレスの指定とのうちの少なくともいずれかの指定情報を受信するステップを含んでもよい。
【００１２】
さらに別の実施形態では、複数のユーザのそれぞれを関連付けるステップは、グループ再生リストの単一のスロットに関連付けられるべき複数のマルチメディア・コンテンツ・レコードの識別子をユーザのうちの対応する１人から受信するステップをさらに含むものとなる。複数の受信済み識別子の各々には関連付けられたユーザ状態が含まれている。再生を自動的に調整するステップが、グループ再生リストの単一のスロットに関連付けられたユーザのそれぞれに関連付けられた現在の状態を検出するステップをさらに含むものとなる。ユーザのそれぞれの検出された現在の状態と、複数の識別子の関連付けられたユーザ状態との比較に基づいて、単一のスロット用に再生されるマルチメディア・コンテンツ・レコードに対応するように単一のスロット用に受信された複数の識別子の１つが選択される。
【００１３】
別の実施形態では、複数のマルチメディア・コンテンツ・レコードを含むグループ再生リストを再生する複数の方法が提供される。グループ再生リストはコンピュータベースのソーシャルネットワークに関連付けられる。上記複数の方法は、グループ再生リストのマルチメディア・コンテンツ・レコードの１つのレコードと対応するようにソーシャルネットワークに関連付けられたアクティブユーザを特定するステップを含む。アクティブユーザのプレゼンス状態が検出される。グループ再生リストのマルチメディア・コンテンツ・レコードを再生するステップは、検出されたプレゼンス状態に基づいて自動的に調整される。プレゼンス状態を検出するステップは、アクティブユーザがソーシャルネットワーク上に存在していないことを検出するステップを含んでもよい。そして、再生を自動的に調整するステップは、アクティブユーザがソーシャルネットワーク上に存在していないことを検出することに応じて、マルチメディア・コンテンツ・レコードの１つのレコードを再生するステップをスキップするステップを含んでもよい。プレゼンス状態を検出するステップは、アクティブユーザがソーシャルネットワーク上に存在していることを検出するステップを含んでもよい。そして、再生を自動的に調整するステップは、アクティブユーザがソーシャルネットワーク上に存在していることを検出することに応じて、マルチメディア・コンテンツ・レコードの１つのレコードを再生するステップを含んでもよい。これらの方法は、マルチメディアレコードの１つのレコードを再生する間に、通信を行なうために要求を受信するステップと、受信した要求に応答してアクティブユーザとの通信接続を自動的に確立するステップとをさらに含むことができる。
【００１４】
さらに別の実施形態では、複数のマルチメディア・コンテンツ・レコードを含むグループ再生リストを再生する複数のシステムが提供される。グループ再生リストはコンピュータベースのソーシャルネットワークに関連付けられる。システムは生成部、プレゼンス検出部及び再生部を含む。生成部は、グループ再生リストを生成するとともに、ソーシャルネットワークに関連付けられた複数のユーザのそれぞれを、グループ再生リストのマルチメディア・コンテンツ・レコードに関連付けるステップを含む。プレゼンス検出部はソーシャルネットワーク上におけるユーザのそれぞれのプレゼンス状態を検出する。再生部は、各ユーザの検出されたプレゼンス状態に基づいて、グループ再生リストのマルチメディア・コンテンツ・レコードをソーシャルネットワークに関連付けられたユーザに対して再生するものであり、現在のレコードに関連付けられた複数のユーザの中のアクティブユーザがソーシャルネットワーク上に存在していないことを検出することに応じて、グループ再生リストの現在のレコードの再生を調整するステップを含むものである。これらのシステムは、現在のレコードに関連付けられたマルチメディア・コンテンツ・レコードを再生している間に受信された要求に応答して、複数のユーザの中のアクティブユーザと、要求側ユーザの１人とに関連付けられたそれぞれの通信端末の間で通信接続を自動的に確立する通信部をさらに含んでもよい。
【図面の簡単な説明】
【００１５】
【図１】本発明のいくつかの実施形態に係る移動無線通信端末及び例示の基地局トランシーバを示す概略図である。
【図２】図１の移動無線通信端末を含む本発明のいくつかの実施形態に係るマルチメディアファイル再生システムを示す概略図である。
【図３】本発明のいくつかの実施形態に係る図１の移動無線通信端末のディスプレイを示す概略図である。
【図４】本発明のいくつかの実施形態に係る方法を例示するフローチャートである。
【図５】本発明のさらに別の実施形態に係る方法を例示するフローチャートである。
【発明を実施するための形態】
【００１６】
次に、本発明の実施形態を示す添付図面を参照しながら、本発明についてさらに詳細に説明する。しかしながら、本発明が本明細書の記載に限定されるものであると解釈すべきではない。むしろこれらの実施例は、この開示が完全で完璧なものとなるように、そして、本発明の範囲を当業者に十分に伝えるために提供するものである。同一の参照番号は全図面を通して同一の要素を示すものとする。
【００１７】
本明細書で使用されているように、「を備えている（comprising）」又は「を備える（comprises）」という用語はオープンエンドスタイルの用語であって、記述した１以上の特徴、数値、エレメント、ステップ、構成要素を含むものであるが、１以上の他の特徴、数値、構成要素、機能又はこれらのグループの存在又は追加を排除するものではない。
【００１８】
本明細書で使用されているように、「〜と〜との少なくともいずれか（and／or）」という用語は、１以上の関連付けられ、リストされた項目の任意の、及び、すべての組み合わせを含むものとする。
【００１９】
本明細書で使用されているように、ラテン語のフレーズ「たとえば（exempli gratia）」に由来する一般的な略語「ｅ．ｇ．」を用いて、一般的な例又は前述の項目の例を導入したり、指定したりすることができるが、この略語はそのような項目の限定を意図するものではない。ラテン語のフレーズ「id est（すなわち）」に由来する一般的な略語「ｉ．ｅ．」が本明細書で使用されている場合、この略語を用いて、より一般的に列挙したものの中から特定の項目を指定することができる。
【００２０】
本明細書で使用されている用語法は特定の実施形態について単に説明することを目的とするものであって、本発明の限定を意図するものではない。本明細書で使用されているように、文脈が別様に示していない限り、単数形を示す「ａ」、「ａｎ」及び「ｔｈｅ」は複数形も同様に含むことを意図するものとする。
【００２１】
別段の規定がない限り、本明細書で使用されている（技術的用語と科学的用語とを含む）すべての用語は、本発明が属している技術分野の通常の当業者によって共通に理解されるものと同じ意味を有するものとする。一般に使用される辞書に定義されているような用語は、本明細書及び関連する技術分野の文脈における意味と一致する意味を有するものと解釈すべきであり、本明細書で明示的に別段の定義がない限り、理想化した意味に解釈したり、過度に形式的な意味に解釈したりすべきではないことはさらに理解されよう。
【００２２】
ある要素が、他の要素に対して「接続される（connected）」又は「結合される（coupled）」と記載されている場合、それは、直接連結又は接続されていることも可能であるが、他の要素が介在していてもよいことは理解されよう。逆に、ある要素が、他の要素に対して「直接連結される（directly coupled）」又は「直接接続される（directly connected）」と記載されている場合、他の要素が何も介在していないと理解すべきである。さらに、「接続される（connected）」又は「結合される（coupled）」という記載は無線での接続又は結合を含み得るものとする。
【００２３】
公知の機能や構成については、簡潔で明快な説明を意図して本明細書では詳細に説明されない場合がある。
【００２４】
本発明は、方法と、電子装置と、コンピュータプログラムとのうちの少なくともいずれかとして実施することができる。したがって、本発明は、ハードウェアに組み込まれた構成と、（ファームウェア、常駐ソフトウェア、マイクロコードなどを含む）ソフトウェアに組み込まれた構成との少なくともいずれかの構成で実施することが可能である。この構成は、本明細書では一般に「回路」又は「モジュール（部）」と呼ぶ場合がある。さらに、本発明は、コンピュータで使用可能な記憶媒体又はコンピュータ可読記憶媒体におけるコンピュータプログラムの形態をとることができる。このコンピュータプログラムはコンピュータで使用可能なプログラムコード又はコンピュータ可読プログラムコードを有し、また、上記プログラムコードは媒体において実施され、命令実行システムに関連して利用される。本明細書の文脈では、コンピュータで使用可能な媒体又はコンピュータ可読媒体とは、命令実行システム、設備、又は装置により、又は、命令実行システム、設備、又は装置と共に使用されるプログラムを、収容し、記憶し、通信し、伝播し、又は転送できるあらゆる媒体であり得る。
【００２５】
方法及び通信端末を示すブロック図と動作説明図の少なくともいずれかを参照しながら本発明に係る実施形態について説明する。この点に関して、個々のブロックは、（単複の）特定された論理機能を実現する１以上の実行可能な命令を備えたモジュール、セグメント、又はコードの一部を表すことができる。理解すべきことだが、ブロック図と動作説明図との少なくともいずれかの図の個々のブロックと、ブロック図と動作説明図の少なくともいずれかのブロックとの組み合わせは、無線周波数と、アナログハードウェアと、デジタルハードウェアとのうちの少なくともいずれかと、プログラム命令との少なくともいずれかによって実現することができる。これらのプログラム命令は制御装置へ提供される。この制御装置は、１以上の汎用プロセッサと、特殊用途のプロセッサと、ＡＳＩＣと、別のプログラム可能なデータ処理装置とのうちの少なくともいずれかを含むことができ、それによって、制御装置と別のプログラム可能なデータ処理装置の少なくともいずれかの装置を介して実行される命令によって、ブロック図と単複の動作ブロックの少なくともいずれかで指定される機能／動作を実現する手段が生成される。代替の実施形態によっては、上記ブロックに記されている当該機能／動作は動作説明図で述べた順序の中から行い得るものである。例えば、連続して示される２つのブロックを実際にはほぼ同時に実行することも可能であるし、又は、関係する機能／動作に応じてこれらのブロックを逆の順序で実行することもありうる。
【００２６】
これらのコンピュータプログラム命令は、コンピュータで使用可能なメモリ又はコンピュータ可読メモリに記憶され、コンピュータ又は他のプログラム可能なデータ処理装置に対して特定の方法で機能するように指示してもよい。それにより、コンピュータで使用可能なメモリ又はコンピュータ可読メモリに記憶された命令は、フローチャートと、ブロック図のブロックとの少なくともいずれかにおいて特定された機能を実行する命令を含むコンピュータプログラムを生成することになる。
【００２７】
コンピュータで使用可能な媒体又はコンピュータ可読媒体は、たとえば、電子的、磁気的、光学的、電磁的、赤外線の、又は半導体のシステム、設備、又は装置であるが、これらに限定されるわけではない。コンピュータ可読媒体のさらに詳細な例（非包括的なリスト）には以下の媒体が含まれる：ハードディスク、光記憶装置、磁気記憶装置、携帯用コンピュータのディスケット、ランダムアクセスメモリ（ＲＡＭ）、リードオンリメモリ（ＲＯＭ）、消去可能なプログラム可能リードオンリメモリ（ＥＰＲＯＭ又はフラッシュメモリ）、及びコンパクトディスク・リードオンリメモリ（ＣＤ−ＲＯＭ）。
【００２８】
本明細書で使用されているように、「電子部品」とは、受動的電気コネクタ等と対比されるような能動素子を意味する。電子部品はプロセッサを含むものであってもよい。
【００２９】
本明細書で使用されているように、「ストリームされる（streamed）」又は「ストリームする（streaming）」とは、（例えば、オーディオファイル又はソングファイルのようなファイルが、デジタル信号を介して受信装置へ連続して送られることを意味する。そして、この受信装置において、上記オーディオファイル又はソングファイルは好適な受信用アプリケーションを介して同時に再生される。このデジタル信号は通常バッファされる。
【００３０】
本明細書で使用されているように、「通信端末（communication terminal）」とは通信信号を受信／送信するように構成された端末を含むが、これのみに限定されるわけではない。そして上記通信信号は、公衆交換電話網（ＰＳＴＮ）、デジタル加入者回線（ＤＳＬ）、デジタルケーブル、又はその他のデータ接続／ネットワークを介するような有線接続を介する場合と、例えばセルラネットワーク、衛星ネットワーク、無線ローカルエリア・ネットワーク（ＷＬＡＮ）とその他の通信端末との少なくともいずれかとつながる無線インタフェースを介する場合との少なくともいずれかの接続を介して受信／送信が行われる。
【００３１】
無線インタフェースを介して通信を行うように構成される場合、通信端末は本明細書では「無線通信端末」又は「無線端末」と称する。無線端末の例には、セルラ電話機と、携帯情報端末（ＰＤＡ）と、ページャと、無線通信インタフェースを介してデータを通信するように構成されたコンピュータとのうちの少なくともいずれかが含まれるが、これらのみに限定されるわけではない。上記無線通信インタフェースは、セルラ電話インタフェースと、ブルートゥース（登録商標）・インタフェースと、（８０２．１１などの）無線ローカルエリア・ネットワーク・インタフェースと、他のＲＦ通信インタフェースと、光／赤外線通信インタフェースとのうちの少なくともいずれかのインタフェースを含むものであってもよい。
【００３２】
本明細書で使用されているように、「移動端末」とは、携帯可能なものであってもよいし、可搬性を有するものであってもよいし、（航空、海上又は陸上ベースの）輸送手段に設置されているものであってもよいし、あるいは、地球上か、宇宙空間かの少なくともいずれかにおける（単複の）別の任意の場所において、ローカルな態様か、分散された態様かのいずれかの態様で作動するように配置されているか、構成されているかのいずれかの態様の移動端末であってもよい。
【００３３】
本明細書で使用されているように、マルチメディアファイルの「再生（play）」及び「プレイバック（playback）」並びに「再生する（render）」及び「再生（rendering）」は一般的な意味で用いられ、スピーカを介してオーディオファイルを再生するステップか、表示画面上にデジタル画像を表示するか、表示画面上にビデオファイルを表示するかの少なくともいずれか、あるいは、ビデオファイルに関連付けられるか、ビデオファイルに組み込まれるかの少なくともいずれかの形のオーディオファイルをスピーカを介して同時に再生するステップかの少なくともいずれかのステップを含むことができる。
【００３４】
図１〜図５を参照しながら、本発明のいくつかの実施形態について以下説明する。本発明のいくつかの実施形態では、１以上のマルチメディアファイル識別子を含むマルチメディアファイルの再生リストにおいて特定されたマルチメディアファイルを再生し、管理する能力を備えたホストセンタ装置が提供される。マルチメディアファイルは、ホストセンタ装置によって保持することができるか、１以上の遠隔に配置された無線通信端末から取得するように、遠隔設置から取得することができるかの少なくともいずれかが行われ得る。これらの装置は、ホスト装置によるか、又は、ソーシャルネットワークの追加の態様をサポートする単複のサーバと組み合わされたホスト装置によるかの少なくともいずれかのホスト装置によってサポートされるソーシャルネットワークのユーザ（メンバ）に関連付けることができる。ホストの装置はそれ自体無線通信端末であってもよい。さらに、ホストの装置は、マルチメディアファイルの再生リストにおけるマルチメディアファイルの自動か、手動かの少なくともいずれかの態様による優先順位の決定を可能にするように構成することができる。マルチメディアファイルは、ホスト装置において再生するか、ホスト装置に関連付けられたメディアセンタ装置において再生するかの少なくともいずれかの再生を行うことができる。ホストの装置に関連付けられたホストの装置側において再生するか、メディアセンタ装置上において再生するかの少なくともいずれかの形でマルチメディアファイルの再生を行うことが可能となる。
【００３５】
ここで図１を参照してわかるように、本発明のいくつかの実施形態に係る、移動無線通信端末１０Ａとして示されている例示の通信システムが図示されている。本発明の実施形態は無線通信端末に関連して例示されているものではあるが、本発明が有線モバイルと非モバイルの少なくともいずれかの方式の通信端末及び方法を含むものであってもよいことは理解できよう。さらに、ホスト装置と、ソーシャルグループのメンバに関連付けられた通信装置との双方が図１に例示されているが、すべてのこのようなモジュールと回路の少なくともいずれかが本発明のいくつかの実施形態では見られない場合もある。無線端末１０Ａは、１以上の他の無線端末とデータを通信するように構成されてはいるが、この構成には、上記無線端末間での直接無線通信インタフェースを介する構成と、１以上のセルラ基地局を経由して別の無線通信インタフェースを介する構成と、無線ローカルエリア・ネットワーク（ＷＬＡＮ）ルータＷｉＭＡＸと他の無線ネットワークの少なくともいずれかのネットワークを経由して別の無線通信インタフェースを介する構成とのうちの少なくともいずれかの構成がある。本明細書では無線通信に関して例示を目的として説明してはいるが、本発明はこのような実施形態のみに限定されるわけではないこと、さらに、ホスト装置とユーザ通信装置の少なくともいずれかとの間の通信は、有線接続と、例えば、インターネットプロトコル（ＩＰ）のようなパケット化された通信プロトコルをサポートする有線リンクと無線リンクとの双方を含む接続とのうちの少なくともいずれかの接続であってもよいこともさらに理解されたい。
【００３６】
上記無線端末１０Ａは、図１に例示されているような無線電話通信システムの一部を形成する移動無線電話機であってもよい。システム２はモバイル無線通信端末１０Ａ、並びに、無線通信ネットワーク５の一部である基地局トランシーバを含む。このシステム２は移動無線通信端末１０Ａと基地局トランシーバとを含み、該基地局トランシーバは無線通信ネットワーク５の一部である。本発明のいくつかの実施形態では、例えば、移動体交換センタや他の装置を経由して多くの基地局トランシーバを接続して、無線通信ネットワーク５を画定できることは理解されよう。
【００３７】
例示の実施形態の移動端末１０Ａは、携帯可能なハウジングアセンブリ１２、制御装置３０、通信部（モジュール）３２、メモリ３４を含む。例示の実施形態の移動端末１０Ａは、ディスプレイ２０、スピーカ２４（すなわち音響変換器）を含むユーザインタフェース２２（すなわちマン・マシンインタフェース）をさらに含む。移動端末１０Ａの上述の構成要素は従来型の多くの移動端末の中に含まれているものであってもよく、前述の構成要素の機能は当業者には一般に周知のものである。移動端末１０Ａは、生成部（モジュール）４０、プレゼンス検出部（モジュール）４２及びメモリ３４に記憶することができる再生部（モジュール）４４をさらに含む。
【００３８】
ディスプレイ２０は任意の好適な表示画面アセンブリであってもよい。例えば、ディスプレイ２０は、（ライティングパネルなどの）補助光源の有無にかかわらず液晶ディスプレイ（ＬＣＤ）であってもよい。場合に応じて、移動端末１０Ａは、ある特定品質のビデオコンテンツを再生する能力を備えるようにすることが可能である。例えば、移動端末１０Ａは、１６：９又は４：３のような特別のアスペクト比を有するビデオストリームを表示するように構成することができる。複数の標準規格のビデオフォーマットが移動端末に対して提案されているが、これらのビデオフォーマットの中には、クォータＶＧＡ（ＱＶＧＡ、３２０×２４０画素）、共通中間フォーマット（ＣＩＦ、３６０×２８８画素）及びクォータ共通中間フォーマット（ＱＣＩＦ、１８０×１４４画素）が含まれている。さらに、移動端末によっては、種々の表示能力を有する複数の表示画面を有することができるものもある。したがって、移動端末１０Ａは１以上の種々の表示フォーマットでビデオを表示することが可能である。
【００３９】
上記ユーザインタフェース２２は任意の好適な（単複の）入力装置を含むものであってもよい。該入力装置は、例えば、（タッチスクリーンなどの）タッチ起動式又はタッチパネル式装置と、ジョイスティックと、キーボード／キーパッドと、ダイアルと、単複の指向性キーと、（マウス、トラックボール、タッチパッドなどの）ポインティング装置とのうちの少なくともいずれかを含むものとなる。スピーカ２４は入力されたオーディオ信号に応答して音を生成する。ユーザインタフェース２２は、音声プロセッサに結合されたマイクを含むものであってもよく、この音声プロセッサはマイクへの入射音に応答して音声データストリームを生成するように構成される。
【００４０】
制御装置３０は無線端末１０Ａの種々の機能をサポートすることも可能である。制御装置３０は、例えば、任意の市販プロセッサ又はカスタムマイクロプロセッサであってもよい。使用中、無線端末１０Ａの制御装置３０はディスプレイ２０上に表示画像を生成することができる。しかし、いくつかの実施形態では、別個の信号プロセッサとビデオチップ（図示せず）の少なくともいずれかを無線端末１０Ａに設けることができると共に、ディスプレイ２０上に表示画像を生成できるようになっている。
【００４１】
メモリ３４は、（デジタルオーディオファイルと、画像ファイルと、ビデオファイルとのうちの少なくともいずれかのファイルなどの）デジタルマルチメディアファイルのようなデジタル情報信号及びデータを保存するように構成される。
【００４２】
上記通信部３２は、（図１及び図２で）本明細書に説明されているような無線インタフェース７、１１２、１１４、１１６、１２２、１３４などの）１以上の無線インタフェースを介して、本明細書に説明するような他の遠隔無線端末へデータを通信するように構成される。通信部３２は、セルラ通信部と、ダイレクト・ポイント・ツー・ポイント接続部と、ＷＬＡＮ部又は他のネットワークとのうちの少なくともいずれかを含むものであってもよい。
【００４３】
セルラ通信部の場合、無線端末１０Ａは、１以上のセルラ通信プロトコルを用いてネットワーク５の（単複の）基地局を介して通信を行うことが可能となる。上記のようなセルラ通信プロトコルとして、例えば、最新型移動電話サービス（ＡＭＰＳ）、ＡＮＳＩ−１３６、移動（ＧＳＭ）通信用グローバル規格、汎用パケット無線サービス（ＧＰＲＳ）、次世代ＧＳＭ用拡張型データレート（ＥＤＧＥ）、符号分割多元接続（ＣＤＭＡ）、広帯域ＣＤＭＡ、ＣＤＭＡ２０００、及び汎用移動体通信システム（ＵＭＴＳ）がある。セルラ基地局は移動体電話中継局（ＭＴＳＯ）無線ネットワークに接続することができ、次いで、ＰＳＴＮと他のネットワークの少なくともいずれかと接続することが可能である。インターネットプロトコル（ＩＰ）タイプのデータは、既存の有線及び無線ネットワークコンポーネントを用いるインターネット又はワールドワイドウェブ上で送信用としてさらに経路指定されることができる。
【００４４】
ダイレクト・ポイント・ツー・ポイント接続部は、ダイレクトＲＦ通信部又はダイレクトＩＲ通信部を含むものであってもよい。ダイレクトＲＦ通信部はブルートゥース（登録商標）部を含むものであってもよい。ブルートゥース（登録商標）・部を用いて、無線端末１０Ａはダイレクト・ポイント・ツー・ポイント・インタフェースを通じてアドホックなネットワークを介して通信を行うことができる。
【００４５】
ＷＬＡＮ部の場合、無線端末１０Ａは通信プロトコルを用いて（ルータ１２０（図２）などの）ＷＬＡＮルータを経由して通信を行うことができる。この通信プロトコルは、８０２．１１ａ、８０２．１１ｂ、８０２．１１ｅ、８０２．１１ｇ、８０２．１１ｉのうちの少なくともいずれかのプロトコルを含むものであってもよいが、これらのみに限定されるわけではない。
【００４６】
通信部３２は、一般に、送信機回路と受信機回路とを有するトランシーバを含むことができる。これら送信機回路と受信機回路は、発信する無線周波数信号をそれぞれ（ネットワーク５、ルータあるいは他の端末装置から直接）送信し、次いで、音声信号とデータ信号のような無線周波数信号をアンテナを介して（例えばネットワーク５やルータから、あるいは、他の端末装置へ直接）受信する。通信部３２は、ブルートゥース（登録商標）送受信機とＷＬＡＮ送受信機のような短距離用送信機と受信機を含むものであってもよい。上記アンテナは、本発明の範囲から逸脱することのない埋め込みアンテナ、伸縮自在アンテナ又は当業者に周知の任意のアンテナであってもよい。無線端末１０Ａとネットワーク５、ルータあるいは他の端末との間で送信される無線周波数信号は（着呼用ページング信号／メッセージなどの）トラフィック信号と制御信号の双方の信号を含むものであってもよい。これらの信号を用いて他のパーティ又は宛先との通信が確立され、保持される。上記無線周波数信号はまた、例えばセルラデジタルパケットデータ（ＣＤＰＤ）情報又は汎用パケット無線サービス（ＧＰＲＳ）のようなパケットデータ情報を含むものであってもよい。さらに、上記トランシーバは、ＩＲポートを介して他の電子装置へ／から赤外線信号を送信／受信するように構成された赤外線（ＩＲ）トランシーバを含むものであってもよい。
【００４７】
上記無線端末１０Ａは、有線又はケーブルを介して他の端末装置と電気的に結合して、デジタル通信信号を上記端末間で送信するように構成されたものであってもよい。無線端末１０Ａは、静止画像とビデオデータストリームの少なくともいずれかを入射光に基づいて生成するように構成されたカメラ装置のようなさらに別の部品を含むものであってもよい。
【００４８】
いくつかの実施形態における生成部４０は、グループ再生リストを生成すると共に、ソーシャルネットワークに関連付けられた複数のユーザのそれぞれを、グループ再生リストのマルチメディア・コンテンツ・レコードに関連付けるステップを含む。このような関連付けは、例えば、ＡＣ／ＤＣの歌「Back In ...」が発信側ユーザ「マーチン」に関連付けられている図３に例示されている。図３にも視覚的に表示されているように、それぞれのマルチメディアレコード自体はグループ再生リストのそれぞれのスロットに関連付けることが可能であり、スロットは、マルチメディアレコードとユーザとの間にリンケージを提供できるように、ユーザのうちの対応するユーザに関連付けることが可能である。換言すれば、本明細書で以下さらに説明するように、グループメンバはグループ再生リストを集団で作成することが可能となる。次いで、例えばグループのメンバ間でグループ再生リストを共有することが可能となり、その結果、グループメンバの様々なメンバからの種々の寄付によって同じ音楽を（同時に又は異なる時刻に）聴くことが可能となる。例えば、メンバユーザを含むソーシャルネットワークにおいて、グループメンバは、他のメンバたちと共有するための利用可能な自身たちのコンテンツを持つことが可能となる。このコンテンツはユーザの装置間で配信することができ、すべての装置において利用可能であり、あるいは、共有コンテンツサーバ１２７のような共通のサイトから取り出すことが可能である。このようにして、ソーシャルネットワーク内のいくつかの又はすべてのグループメンバによってアクセス可能なグループコンテンツからなる大きなライブラリの提供が可能となる。
【００４９】
このようなグループメンバによって指定されたコンテンツを含むグループ再生リスト内の特定のマルチメディア・コンテンツ又はスロットとグループメンバとの関連付けの結果として、グループ再生リスト内におけるユーザの選択に基づいて、他のグループメンバは或る歌を或るユーザに関連付け始めることが可能となる。例えば、ユーザ「マット」は、自分のソングスロットにおいて「アッシャー（Usher）」の歌を常時選択することができ、そして、グループメンバは、「アッシャー」の歌を聞くとき、やがてマットのことを連想するようになることが考えられる。
【００５０】
図３に例示のように、グループ再生リストは、それぞれのグループメンバに関連付けられた、順序づけられた種々の「スロット」から構成することができる。例えば、４つ毎の歌が特定のユーザ「ベン」によって提供されるようにすることができる。いくつかの実施形態では、ベンのようなユーザは、種々の歌又は「お気に入り」を選択して、ユーザの気分に応じて、又は、スロットに関連付けられたユーザの他の状態表示に応じて、１以上の割り当てられたスロットに関連付けるようにすることができる。したがって、いくつかの実施形態の生成部４０は、個々のスロット用の複数の異なるコンテンツ・レコードが含まれているグループ再生リストを生成できるようになっている。その場合、いくつかの個別の決定可能なユーザ状態を用いて、特定のスロットから音楽の再生を行う際に（すなわち、複数のオプションとして選択可能なレコードを含むスロットがグループ再生リストにおいて第１のスロットになるとき）、複数の指定済みのマルチメディア・コンテンツ・レコードの間で選択を行うことが可能となる。
【００５１】
図１の例示の実施形態では移動端末１０Ａはプレゼンス検出部４２をさらに含む。プレゼンス検出部４２はソーシャルネットワークにおけるユーザのそれぞれのプレゼンス状態を検出する。このような状態情報は、例えば図３に例示されている。この図では、ユーザ「トーマス」及び「マーチン」が存在しているものとして示されているのに対して、ユーザ「マット」は存在していないものとして示されている。本明細書において後で説明するように、グループ再生リストの再生を調整する際に、グループメンバに関連するこのようなプレゼンス情報を用いることができる。例えば、再生リスト内でユーザによる選択が行われるとき、グループメンバが存在していなければ、再生装置は適宜機能することができる。例えば、再生リストは再生リストにおいて次にリスとされている歌を「スキップ」することができる。別の例によれば、関連付けられたグループメンバが現在利用できないことを示す或る表示又はデフォルトを与えることが可能であり、グループメンバがいずれかの所定の時刻にグループ再生リストを聴いているかいないかにかかわらず、上記表示を行って、ソーシャルネットワークの他のグループメンバに関連付けられた通信装置において表示を行うようにすることが可能となる。
【００５２】
図１に、再生部４４がさらに示されている。再生部４４は、各ユーザの検出されたプレゼンス状態に基づいて、ソーシャルネットワークに関連付けられたユーザに対して、グループ再生リストのマルチメディア・コンテンツ・レコードを再生するものである。例えば、上述のように、再生部４４は、現在のレコードに関連付けられたアクティブユーザの１人がソーシャルネットワーク上に存在していないことを検出することに応じて、現在のグループ再生リストのレコードの再生を調整することができる。アクティブユーザの１人に関連付けられた現在のレコードを再生する直前か、再生中かの少なくともいずれかの時点に上記のようなアクティブユーザの在否（プレゼンス）の判定を行うことが可能であり、さらに、このような在否の判定は、マルチメディア・コンテンツ・レコードの再生の開始前か、再生中かの少なくともいずれかの時点にマルチメディア・コンテンツ・レコードの配信又は再生に影響を与える可能性がある。ここで留意すべき点として、本明細書において用いられているように、アクティブユーザについての言及は、まさに再生しようとしている（又は次に再生する）レコードについての言及と、現在再生しているレコードについての言及とのうちの少なくともいずれかを意味するものであることを付記しておく。換言すれば、次のレコードの再生を開始する前に再生の調整ステップが行われる実施形態では、現在のレコードを次に再生するレコードにすることが可能であり、さらに、レコードの再生中に再生の調整ステップが行われる実施形態では、現在のレコードとはさらに、現在再生中のレコードであってもよい。換言すれば、「現在の」というフレーズと「アクティブな」というフレーズとは再生の調整という文脈に関して相対的なものである。
【００５３】
上述したように、通信部３２は、例えば基地局５との無線通信接続７のような、移動端末１０Ａとの間を往来する通信をサポートする。さらに、本発明のいくつかの実施形態では、通信部３２は、グループ再生リストの現在のレコード（又はスロット）に関連付けられたマルチメディア・コンテンツ・レコードを再生している間に受信された要求に応答して、ユーザのうちのアクティブユーザと、要求側ユーザの１人とに関連付けられたそれぞれの通信端末間で通信接続を自動的に確立する。本明細書で以下さらに説明するように、本発明の様々な実施形態において、通信接続はプッシュ・ツー・トーク（ＰＴＴ）リンク、テキストメッセージ、他の通信接続手段のうちの少なくともいずれかであってもよい。受信された要求に応答して接続を確立することができる一方で、ユーザに関連付けられたマルチメディア・コンテンツ・レコードの再生に応じて、移動端末１０Ａは要求を受信するステップに先行して自動的に応答するように構成することができることは理解されよう。例えば、ＰＴＴは、呼の開始要求としてＰＴＴボタンが選択されると、ＰＴＴリスト内の第１のリストされた連絡先へ呼を開始することができる。いくつかの実施形態では、第１のリストされた連絡先として現在再生しているマルチメディア・コンテンツ・レコードに関連付けられたユーザを接続確立要求の受信前に提示するために移動端末１０ＡがＰＴＴリストをすでに更新している場合もある。上記接続確立が実行された後に、移動端末１０Ａの通常のＰＴＴ呼設定機能を用いて呼設定が進むことになる。さらに理解されるように、移動端末１０Ａは別個の通信接続を個々に自動的に設定して、関連ユーザから、又は要求の受信とは無関係の別の位置からマルチメディア・コンテンツ・レコードを取得し、通信接続の確立を図ることが可能となる。
【００５４】
図１は、マルチメディアファイルの管理及び再生を行うために移動端末と他の電子装置の少なくともいずれかにおいて使用できる例示のハードウェア／ソフトウェアのアーキテクチャを示すものではあるが、本発明がこのような構成のみに限定されるわけではなく、本明細書で説明した処理を実行できる任意の構成の包含を意図するものであることは理解されよう。例えば、メモリ３４は制御装置３０から分離したものとして示されてはいるが、メモリ３４あるいはその一部を制御装置３０の一部とすることも可能である。さらに一般的に言えば、特定の諸機能が例示として特定のブロックに示されてはいるが、異なるブロックの機能と当該機能の一部の少なくともいずれかの組み合わせと、分割と、削除とのうちの少なくともいずれかを実行することも可能である。さらに、本発明の種々の実施形態に従って、図１のハードウェア／ソフトウェアのアーキテクチャの機能を単一のプロセッサシステム又は複数のプロセッサシステムとして実装することも可能である。
【００５５】
ここで図２を参照すると、本発明のいくつかの実施形態に係るコンピュータベースのソーシャルネットワークのようなユーザネットワークに関連付けられたマルチメディアファイル再生システム１００Ａが図示されている。システム１００Ａは、（本明細書において「ホストの無線通信端末」又は「ホスト端末」とも呼ばれる）移動無線通信端末１０Ａと、ソーシャルネットワークのユーザ／メンバに関連付けられた（本明細書において「参加無線通信端末」又は「参加端末」とも呼ばれる）複数の追加の参加無線通信端末１０Ｂ、１０Ｃ、１０Ｄ、１０Ｅとを含む。図１を参照しながら上述したように、本明細書では、説明の便宜上無線通信装置として例示されてはいるが、それぞれの端末は無線である必要はなく、例えば、公衆ネットワークエレメントと専用ネットワークエレメントの双方のエレメントの少なくとも一方のエレメントを含むことができる、インターネットのような有線接続リンクと無線接続リンクの少なくともいずれかのリンクを介して結合されたグループメンバのパーソナルコンピュータであってもよい。
【００５６】
端末１０Ａに関して上述したように端末１０Ｂ〜Ｅを構成することができる。端末１０Ｂ〜Ｅは無線通信部３２、及び１以上の生成部４０、プレゼンス検出部４２、再生部４４のうちの少なくともいずれかのモジュールを個々に含む端末である。これらのモジュールはグループメンバ装置及びホスト装置用として別様に構成してもよい。換言すれば、それぞれのモジュールは、装置の意図する機能に対応して個々の端末１０Ａ〜Ｅに対して別様に構成することも可能である。いくつかの実施形態によれば、端末１０Ｂ〜Ｅのすべて又はいくつかは移動無線通信端末である。いくつかの実施形態によれば、端末１０Ａ〜Ｅのすべて又はいくつかはハンドヘルド型移動無線通信端末である。
【００５７】
図２に例示の実施形態において、ホスト端末１０Ａは、無線インタフェース又はリンク１３４を介してメディアセンタ１３０とも通信可能に結合され、無線マルチメディアファイルデータ信号を通信部１３２へ提供する。ホスト端末１０Ａは、有線ケーブル又は信号ケーブルを用いてメディアセンタ１３０と接続することができる。上述したように、メディアセンタ１３０はそれ自体ホスト端末として機能することができ、当該ホスト端末は、潜在的グループメンバに問合せを行うか、グループメンバの入力及び参加要求を参加移動端末から直接的に受け入れるか、間接的に受け入れるかの少なくともいずれかを行うようになっている。実際、いくつかの実施形態では、別個のメディアセンタ１３０は設けられず、ユーザ端末装置１０Ｂ〜Ｅが自身の仮想ネットワークを形成し、次いで、プレゼンス情報を交換すると共に、必要に応じてマルチメディア・コンテンツファイルを共有する。
【００５８】
ひとたび、接続が確立されると、個々の参加者は、参加端末１０Ｂ〜Ｅに記憶された対応するマルチメディアファイルを示す１以上の参加者マルチメディアファイル識別子をホスト端末１０Ａと参加端末１０Ｂ〜Ｅとの間で送信することが可能となる。追加の又は代替の例において、ホスト端末１０Ａは、参加端末１０Ｂ〜Ｅをポーリング（探索）して、参加端末１０Ｂ〜Ｅに記憶された１以上の利用可能なマルチメディアファイルのリストを取得することができる。いくつかの実施形態では、参加端末１０Ｂ〜Ｅのユーザがグループ再生リストに含めるために識別することを望むマルチメディアファイルは、共有フォルダ又はディレクトリのような、指定フォルダ又は指定ディレクトリに保存することができる。ホスト端末１０Ａと接続が行われる度に、参加端末１０Ｂ〜Ｅのユーザがグループ再生リストに追加するべきファイルを示す必要がないことが考えられる。
【００５９】
いくつかの実施形態では、混合されたメディアタイプと共に、ホスト端末１０Ａは、参加者のマルチメディアファイル識別子を参加端末１０Ｂ〜Ｅから受信し、マルチメディアファイル識別子の各々が表すマルチメディアファイルのタイプを決定する。このタイプ決定処理は、例えば、ファイル名のファイルタイプ接尾辞（file type suffix）を検査することにより達成することができる。いくつかの実施形態では、マルチメディアファイル識別子には、この識別子によって表されるマルチメディアファイルのタイプを示す明白な表示が含まれている。ホスト端末１０Ａは、ホスト端末１０Ａによって受け入れられる個々のマルチメディアファイルのタイプを表すこれらのマルチメディアファイル識別子の個別のグループ再生リストを作成し、保持することができる。ホスト端末１０Ａとメディアセンタ１３０の少なくともいずれかによってサポートされていないマルチメディアのタイプをマルチメディアファイル識別子が表している場合、ホスト端末１０Ａは、マルチメディアファイル識別子を発信した参加端末１０Ｂ〜Ｅへエラーメッセージを返すことができる。グループ再生リストは、ホスト端末１０Ａによる態様か、参加端末１０Ｂ〜Ｅによる態様か、関連付けられたメディアセンタ１３０による態様かの少なくともいずれかの態様で再生されるマルチメディアファイルを表す。理解されるように、再生リストの再生はすべての参加端末１０Ｂ〜Ｅにおいて同期される必要はない。換言すれば、いくつかの実施形態では、参加者のいくらかまたは全ては、異なるマルチメディア・コンテンツを任意の所定の時刻に再生することができることになる。
【００６０】
グループ再生リストの表示部と、グループ再生リストへの現在のエントリ部との少なくともいずれかを参加端末１０Ｂ〜Ｅに対して設けることができる。このようなディスプレイ１５０が例えば図３に示されている。例示の実施形態では、ディスプレイ１５０には再生リストフィールド１５２と（ソフトキーなどの）制御ボタン１５４とが含まれる。いくつかの装置では制御ボタン１５４が表示されていないものもある。その場合、このような装置にはグループ用として、あるいは、ローカルな装置用としてさえグループ再生リストの再生に対する制御は行われないことになる。例示のオーディオファイル再生リスト１５６が再生リストフィールド１５２に表示されている。再生リスト１５６は一列ずつの一連のマルチメディアファイル識別子１５６Ａを含み、個々の識別子は、それぞれのマルチメディアファイル及び再生リスト１５６のスロットに対応している。オーディオファイルの場合、個々のマルチメディアファイル識別子には、アーティストと、ファイル名と、関連付けられたマルチメディアファイルに対応する再生時間と、識別子と、特定された参加者の現在のプレゼンス状態を発信した参加者（グループメンバ）の識別子とが含まれる。さらに多量の情報か、さらに少量の情報か、異なる情報かのうちの少なくともいずれかの情報も同様に提供できることは理解できよう。
【００６１】
例えば、制御ボタン１５４を用いて、マルチメディアファイルリスト１５６によって表されるマルチメディアファイルの再生を行うことができる。例えば、「再生」及び「停止」ボタンを用いて、メディアセンタ１３０へのマルチメディアファイルの送信の開始及び停止を実行することができる。「移動」ボタンは、再生リスト１５６内のマルチメディアファイル識別子１５６Ａの順序を手動で変更する（すなわち、関連付けられたマルチメディアファイルの再生順序を変更する）のに用いることができる。「削除」ボタンはマルチメディアファイル識別子１５６Ａを再生リスト１５６から削除するのに用いることができる。「詳細」ボタンは、マルチメディアファイル識別子１５６Ａによって特定されたファイルに関する追加の詳細情報を表示するのに用いることができる。「ランダム・ミックス」ボタンは、ランダムにすなわち別の非シーケンシャルな順序でマルチメディアファイルの再生をホスト端末１０Ａに実行させる（例えばマルチメディアファイルをメディアセンタ１３８へ送信する）ために用いることができる。しかし、理解されるように、マルチメディア・コンテンツ・レコードの再生は、現在の（すなわち、再生される準備ができている）マルチメディア・コンテンツ・レコードに関連付けられたユーザのプレゼンス状態に基づいて自動的に調整されることになる。
【００６２】
ホスト端末は両方の再生リストを同時に処理することが可能であり、例えば、スピーカシステムを用いてメディアセンタ１３０に（歌などの）オーディオファイルを順次再生させながら同時に、メディアセンタ１３０に、画像再生リストから得られた画像をディスプレイ上に順次表示させることができる。いくつかの実施形態では、ホスト端末１０Ａは２つの再生リストを順番に処理することができる。例えば、ホスト端末１０Ａは、オーディオファイルの再生リストから得られるオーディオファイルの再生と、ビデオファイルの再生リストから得られるビデオファイルの再生との間で再生を交互に行うことが可能であり、一般に、オーディオトラックを含むビデオファイルをオーディオのみのファイルと同時に再生しないようにすることが可能になる。しかしながら、ホスト端末１０Ａは、（クロスフェードなどの場合のように）１つのファイルが終了し、別のファイルが開始するとき、オーディオファイルから得られるオーディオを別のオーディオファイル又はビデオファイルから得られるオーディオとミックスするように構成することも可能であることは理解されよう。
【００６３】
再生リストは再生するマルチメディアファイルを表すものである。様々なタイプのマルチメディアファイル用ホスト装置に別個の再生リストを保持することが可能となる。例えば、ホストの無線端末は、オーディオファイルと、ビデオファイルと、静止画像ファイルとのうちの少なくともいずれかに対して別個の再生リストを保持することができる。これらの別個の再生リストはホストの無線端末において個々に管理することが可能であり、このホストの無線端末は、例えば、同時的に再生するか、連続的に再生するか、それらを組み合わせて再生するかの少なくともいずれかを行って、別個の再生リストからマルチメディアファイルを再生することができる。例えば、ホストの無線通信端末は、オーディオファイルをスピーカで再生しながら、ビデオ画面上に静止画像を表示するように構成することができる。同様に、ホストの無線通信端末は、別個の静止画像表示画面に静止画像を同時に表示しながらビデオファイルを表示するための専用のビデオ画面を含むか、専用のビデオ画面に結合されたものであってもよい。オーディオファイル内の音響部分と、ビデオファイル内の音響部分との間の干渉を減らすために、ホストの無線通信端末は、静止画像再生リストから静止画像を同時に表示しながら、オーディオとビデオの少なくともいずれかのファイルをそれぞれのビデオ及びオーディオの再生リストから順番に再生するように構成することができる。
【００６４】
いくつかの実施形態によれば、ホストの無線通信端末と複数の参加無線通信端末との間で接続が確立され、ホストの無線通信端末は、複数の参加者のマルチメディアファイル識別子を複数の参加無線通信端末から受信すると共に、参加者のマルチメディアファイル識別子の各々をグループ再生リストに追加し、参加者の再生用マルチメディアファイルをそれぞれの参加無線通信端末の各々から取り出す。いくつかの実施形態によれば、ホストの無線通信端末と参加無線通信端末間での通信は、ブルートゥース（登録商標）無線ＲＦ接続のようなダイレクト・ポイント・ツー・ポイント・インタフェースを介して達成される。いくつかの実施形態によれば、ホストの無線通信端末と参加無線通信端末間での通信は、ＷＬＡＮ又は他の無線ネットワーク又はセルラベースのシステムを経由して行われるような間接インタフェースを介して達成される。
【００６５】
複数のマルチメディア・コンテンツ・レコード用のグループ再生リストを提供し、本発明のいくつかの実施形態に係るグループ再生リストを再生する方法について、図４及び図５のフローチャートを参照しながら以下に説明する。図４に例示の実施形態をまず参照すると、ユーザネットワークに関連付けられた複数のユーザのそれぞれをグループ再生リストのマルチメディア・コンテンツ・レコードの対応するレコードに関連付けることによって処理が開始される（ブロック４００）。ユーザネットワークはコンピュータベースのソーシャルネットワークであってもよい。それぞれのマルチメディアレコードは、グループ再生リストの対応するスロットに関連付けられたレコードであってもよい。さらに、グループ再生リストのスロットはユーザのうちの対応するユーザに関連付けることができる。したがって、特定ユーザのマルチメディア・コンテンツ・レコードとの関連付けは、マルチメディア・コンテンツ・レコードの配置又はグループ再生リストの特別のスロット内のマルチメディア・コンテンツ・レコードの識別子に基づいて行うことができる。当該スロットは特定ユーザに順番に関連付けられ、それによってユーザをマルチメディア・コンテンツ・レコードに関連付けることが可能となる。
【００６６】
グループ再生リストのスロットに関連付けられたマルチメディア・コンテンツ・レコードの識別子は対応するユーザの１人から受信することができる（ブロック４０５）。ユーザから受信した識別子はそれ自体マルチメディア・コンテンツ・レコードにすることができる。いくつかの実施形態では、識別子は記憶装置と記憶アドレスの少なくともいずれかの指定子（指定情報）となる。この指定子からマルチメディア・コンテンツ・レコードを取り出して、再生することが可能となる。
【００６７】
ユーザネットワークに関連付けられたユーザのそれぞれのプレゼンス状態が検出される（ブロック４１０）。グループ再生リストのマルチメディア・コンテンツ・レコードをネットワークに関連付けられたユーザに対して再生するステップは、検出されたプレゼンス状態に基づいて自動的に調整される（ブロック４１５）。
【００６８】
ブロック４２０及び４２５を参照しながら、複数のマルチメディア・コンテンツ・レコードの識別子がグループ再生リストの単一のスロットに関連付けられる本発明の実施形態について以下説明する。このような実施形態の場合、ブロック４０５における処理は、単一のスロットに関連付けられた複数のマルチメディア・コンテンツ・レコードの識別子を、スロットに関連付けられた対応するユーザの１人から受信するステップを含んでもよい。複数の受信された識別子の各々には関連付けられたユーザ状態が含まれている。グループ再生リストの単一のスロットに関連付けられたユーザのそれぞれに関連付けられた現在の状態が検出される（ブロック４２０）。例えば、ユーザは、「幸福な」状態にあるときには「瞑想的な」状態にあるときとは異なる音楽的好みを持つようになることが考えられ、ブロック４２０において検出された現在の状態は、ユーザが現在幸福な状態にあるか、瞑想的な状態にあるかを識別することができる。現在の状態の検出は、ブロック４１５に記載したような再生の調整と同時に実行するか、又はこの調整に先行して実行することが可能であり、したがって、図１を参照しながら前述したように、上記現在の状態の検出を、現在のレコードとアクティブユーザとのうちの少なくともいずれかに関連付けることが可能となる。しかし、ブロック４２０の現在の状態の判定はまた、グループ再生リスト内の現在のレコード（スロット）に関連して、アクティブユーザに対して相対的なプレゼンス状態に関して上述した判定とは異なる時点に判定を行うことも可能である。
複数のユーザのそれぞれの検出された現在の状態と、複数の識別子の関連付けられたユーザ状態との比較に基づいて、単一のスロット用として再生されるマルチメディア・コンテンツ・レコードに対応するように、単一のスロット用として受信された複数の識別子の１つが選択される（ブロック４２５）。選択されたコンテンツ・レコードが再生される（ブロック４３０）。
【００６９】
次に図５に示されている実施形態を参照すると、ソーシャルネットワークに関連付けられたユーザ（アクティブユーザ）の１人を、グループ再生リストのマルチメディア・コンテンツ・レコード（現在のレコード）の１つと一致するように特定することによって処理が開始される（ブロック５００）。アクティブユーザのプレゼンス状態が検出される（ブロック５２０）。アクティブユーザが存在しているものとして検出されると（ブロック５２０）、コンテンツ・レコードが再生される（ブロック５５０）。アクティブユーザがソーシャルネットワーク上に存在していないことが検出され（ブロック５２０）、再生スキップオプション機能が検出されると（ブロック５３０）、コンテンツ・レコードの再生は無視され、ブロック５００において、後続するレコードに対して次のアクティブユーザを特定するステップへ処理は戻る。換言すれば、アクティブユーザがソーシャルネットワーク上に存在していないことが検出されると、再生を自動的に調整するステップは、アクティブユーザがネットワーク上に存在していない旨の判定に応じて、アクティブユーザの対応するマルチメディア・コンテンツ・レコードの再生をスキップするステップを含むことができる。
【００７０】
いくつかの実施形態では、アクティブユーザが存在していないとき（ブロック５２０）、かつ、通知オプションがすでに選択されているとき（ブロック５３０）、再生を調整するステップは、対応する、存在しないユーザに関連付けられたそれぞれのマルチメディア・コンテンツ・レコードの再生を行いながら、それぞれのユーザがユーザネットワーク上に存在していないことを示すプレゼンス状態を有する複数のユーザのうちの対応するユーザ（アクティブユーザ）のプレゼンス状態の表示を行うステップを含むことになる（ブロック５４０）。例えば、図３の再生リストに示されているような状態表示が提供されてもよい。続いて、コンテンツ・レコードを状態表示と同時に再生するか、状態表示の提供後に再生するかの少なくともいずれかが行われる（ブロック５５０）。
【００７１】
ブロック５６０及び５７０を参照しながら、本発明の別の実施形態に関連する処理について以下説明する。図５に例示のように、現在再生されているマルチメディア・コンテンツ・レコードに対応するアクティブユーザとの通信要求をユーザネットワークのグループメンバである要求側ユーザの１人から受信することができる（ブロック５６０）。このような要求が受信されると（ブロック５６０）、アクティブユーザに関連付けられた通信端末のそれぞれと要求側ユーザとの間の通信接続が、受信された要求に応答して自動的に確立されることになる（ブロック５７０）。例えば、要求側ユーザと、アクティブユーザとに関連付けられた各通信端末は無線移動端末であってもよく、通信接続はプッシュ・ツー・トーク（ＰＴＴ）通信接続であってもよく、そして、ブロック５６０において受信された要求は、要求側ユーザがＰＴＴ機能を選択したことを検出したことにより受信された要求であってもよい。このような実施形態では、ブロック５７０において通信接続を自動的に確立するステップは、ＰＴＴ機能に関連付けられた連絡先リスト内のアクティブユーザの識別子を優先するステップを含んでもよい。例えば、識別子を優先するステップは連絡先リストの先頭に識別子を配置するステップを含んでもよい。この先頭のエントリ番号は、ＰＴＴ機能の選択に応じて接続を確立するための選択番号であってもよい。しかし、理解されるように、いくつかの実施形態では、連絡先リストの先頭に識別子を配置するステップは、マルチメディア・コンテンツの再生に応じて、かつ、ブロック５６０において接続確立要求を受信する前にすでに行われている場合もある。
【００７２】
したがって、本発明のいくつかの実施形態では、グループメンバからグループ再生リストへ寄付されたものが現在再生されている場合に、グループメンバとのリンケージと通信の少なくともいずれかを許可するサポートが提供されることになる。例えば、ユーザ「ベン」がグループ再生リストを聴いていて、「マット」によって再生リストに追加された「アッシャー」の歌が再生された場合、（ユーザ「ベン」と前述したようなホスト装置との少なくともいずれかであってもよい）再生装置は「ベン」から「マット」への呼を容易にすることができる。例えば、この状態において、ベンのＰＴＴ通信装置のボタンを長押しすることによって、グループ再生リスト内のコンテンツが関連付けられているグループメンバ（マット）への呼を開始することが可能となる。
【００７３】
別の実施形態では、ブロック５７０において確立された通信接続はテキストメッセージの送信となる。通信を自動的に確立するステップは、要求側ユーザの通信端末のテキストメッセージの機能に関連付けられた連絡先リストにおいてアクティブユーザの識別子を優先させて、要求側ユーザからアクティブユーザへのテキストメッセージの自動送信を容易にするステップを含んでもよい。このテキストメッセージは、送信側ユーザにより指定されたメッセージ内容によって予め宛先指定されるか、事前設定されることになる。
【００７４】
図面及び明細書において本発明の例示の実施形態を開示した。特定の用語を使用したが、これらの用語は単に一般的な意味で、かつ、説明的な意味で使用したものであって、限定を意図するものではない。本発明の範囲は請求項により特定される。
【図１】
2010526452.tif 000003
【図２】
2010526452.tif 000004
【図３】
2010526452.tif 000005
【図４】
2010526452.tif 000006
【図５】
2010526452.tif 000007
【手続補正書】
【提出日】平成20年10月22日(2008.10.22)
【手続補正１】
【補正対象書類名】特許請求の範囲
【補正対象項目名】全文
【補正方法】変更
【補正の内容】
【特許請求の範囲】
【請求項１】
複数のマルチメディア・コンテンツ・レコード用のグループ再生リストを提供する方法であって、
ユーザネットワークに関連付けられた複数のユーザのそれぞれを、前記グループ再生リスト上の前記マルチメディア・コンテンツ・レコードの中の対応するレコードに関連付けるステップと、
前記ユーザネットワークに関連付けられた前記複数のユーザのそれぞれのプレゼンス状態を検出するステップと、
検出された前記プレゼンス状態に基づき、前記ユーザネットワークに関連付けられたユーザへの前記グループ再生リスト上の前記マルチメディア・コンテンツ・レコードの再生を自動的に調整するステップと
を含み、
前記マルチメディア・コンテンツ・レコードの各レコードは、前記グループ再生リストのそれぞれのスロットに関連付けられ、前記グループ再生リストの各スロットは、前記マルチメディア・コンテンツ・レコードが各スロットに関連付けられる前に、前記複数のユーザの中で対応するユーザに関連付けられることを特徴とする方法。
【請求項２】
前記ユーザネットワークは、コンピュータベースのソーシャルネットワークを含むことを特徴とする請求項１に記載の方法。
【請求項３】
再生を自動的に調整する前記ステップは、
前記複数のユーザのそれぞれが前記ユーザネットワーク上に存在していないことを示すプレゼンス状態を有する前記複数のユーザのそれぞれに関連付けられた前記グループ再生リスト上のマルチメディア・コンテンツ・レコードの再生をスキップするステップを含むことを特徴とする請求項１に記載の方法。
【請求項４】
再生を自動的に調整する前記ステップは、
前記複数のユーザのそれぞれが前記ユーザネットワーク上に存在していないことを示すプレゼンス状態を有する前記複数のユーザのそれぞれに関連付けられた前記グループ再生リスト上のマルチメディア・コンテンツ・レコードを再生しながら、前記複数のユーザのそれぞれが前記ユーザネットワーク上に存在していないことを示すプレゼンス状態を有する前記複数のユーザのそれぞれのプレゼンス状態を表示するステップを含むことを特徴とする請求項１に記載の方法。
【請求項５】
前記複数のユーザは、それぞれの通信端末に関連付けられ、
前記方法は、
現在再生されている前記マルチメディア・コンテンツ・レコードの１つにアクティブユーザとして関連付けられた前記複数のユーザのそれぞれを特定するステップと、
前記アクティブユーザとの通信を行なうために前記複数のユーザの中で１人の要求側ユーザから要求を受信するステップと、
前記アクティブユーザと前記要求側ユーザとに関連付けられた各通信端末の間で、受信した前記要求に応答して通信接続を自動的に確立するステップと
をさらに含むことを特徴とする請求項１に記載の方法。
【請求項６】
前記要求側ユーザと前記アクティブユーザとに関連付けられた各通信端末は、無線移動端末を含み、
前記通信接続は、プッシュ・ツー・トーク（ＰＴＴ）通信接続を含み、
前記要求を受信する前記ステップは、前記要求側ユーザのＰＴＴ機能の選択を検出するステップを含むことを特徴とする請求項５に記載の方法。
【請求項７】
前記通信接続を自動的に確立する前記ステップは、前記ＰＴＴ機能に関連付けられた連絡先リストにおける前記アクティブユーザの識別子を優先するステップを含むことを特徴とする請求項６に記載の方法。
【請求項８】
前記識別子を優先する前記ステップは、前記連絡先リストの先頭に当該識別子を配置するステップを含むことを特徴とする請求項７に記載の方法。
【請求項９】
前記要求側ユーザと前記アクティブユーザとに関連付けられた各通信端末は、無線移動端末を含み、
前記通信接続は、テキスト・メッセージ送信を含み、
前記通信接続を自動的に確立する前記ステップは、前記要求側ユーザの前記通信端末におけるテキスト・メッセージ機能に関連付けられた連絡先リスト内の前記アクティブユーザの識別子を優先するステップを含むことを特徴とする請求項５に記載の方法。
【請求項１０】
要求を受信する前記ステップは、前記アクティブユーザを特定することに応じて前記アクティブユーザの前記通信端末と通信を行なうように、前記要求側ユーザの前記通信端末を構成するステップに先行して実行されることを特徴とする請求項５に記載の方法。
【請求項１１】
前記要求側ユーザと前記アクティブユーザとに関連付けられた各通信端末は、無線移動端末を含み、
前記通信接続は、プッシュ・ツー・トーク（ＰＴＴ）通信接続を含み、
前記要求を受信する前記ステップは、前記要求側ユーザのＰＴＴ機能の選択を検出するステップを含み、
前記要求側ユーザの前記通信端末を構成する前記ステップは、ＰＴＴ機能に関連付けられた連絡先リスト内の前記アクティブユーザの識別子を優先するステップを含むことを特徴とする請求項１０に記載の方法。
【請求項１２】
前記識別子を優先する前記ステップは、前記連絡先リストの先頭に当該識別子を配置するステップを含むことを特徴とする請求項１１に記載の方法。
【請求項１３】
複数のユーザのそれぞれを関連付ける前記ステップは、前記複数のユーザの中で前記対応するユーザから、前記グループ再生リスト上のそれぞれのスロットに関連付けられるべき前記マルチメディア・コンテンツ・レコードの識別子を受信するステップを含むことを特徴とする請求項１に記載の方法。
【請求項１４】
前記識別子を受信する前記ステップは、前記マルチメディア・コンテンツ・レコードを受信するステップを含むことを特徴とする請求項１３に記載の方法。
【請求項１５】
前記識別子を受信する前記ステップは、前記マルチメディア・コンテンツ・レコードが再生用に取り出される記憶装置及び記憶アドレスの少なくとも１つの指定情報を受信するステップを含むことを特徴とする請求項１３に記載の方法。
【請求項１６】
複数のユーザのそれぞれを関連付ける前記ステップは、前記複数のユーザの中で前記対応するユーザから、前記グループ再生リストの単一のスロットに関連付けられるべき前記マルチメディア・コンテンツ・レコードの複数の識別子を受信するステップをさらに含み、
前記複数の識別子のそれぞれは、関連付けられたユーザ状態の情報を有し、
再生を自動的に調整する前記ステップは、
前記グループ再生リストの前記単一のスロットに関連付けられたユーザのそれぞれに関連付けられた現在の状態を検出するステップと、
前記複数のユーザのそれぞれの検出された前記現在の状態と、前記複数の識別子の関連付けられた前記ユーザ状態との比較に基づき、前記単一のスロット用に再生されるべき前記マルチメディア・コンテンツ・レコードに対応するように前記単一のスロット用に受信された前記複数の識別子の１つを選択するステップと
をさらに含むことを特徴とする請求項１３に記載の方法。
【請求項１７】
請求項１に記載の方法を実行するように構成された通信システム。
【請求項１８】
複数のマルチメディア・コンテンツ・レコード用のグループ再生リストを提供する、コンピュータで読み取り可能な媒体に記憶されたコンピュータプログラムであって、
請求項１に記載の方法を実行するように構成されたプログラムコードを含むことを特徴とするコンピュータプログラム。
【請求項１９】
複数のマルチメディア・コンテンツ・レコードを含み、コンピュータベースのソーシャルネットワークに関連付けられているグループ再生リストを再生するシステムであって、
前記ソーシャルネットワークに関連付けられた複数のユーザのそれぞれを、前記グループ再生リスト上の前記マルチメディア・コンテンツ・レコードの対応するそれぞれのレコードに関連付けるステップを含む、前記グループ再生リストを生成する生成部と、
前記ソーシャルネットワーク上のユーザのそれぞれのプレゼンス状態を検出するプレゼンス検出部と、
現在のレコードに関連付けられた複数のユーザの中のアクティブユーザが前記ソーシャルネットワーク上に存在しないことを検出することに応じて、前記グループ再生リストの前記現在のレコードの再生を調整するステップを含み、それぞれのユーザの検出された前記プレゼンス状態に基づいて前記ソーシャルネットワークに関連付けられたユーザに対して、前記グループ再生リスト上の前記マルチメディア・コンテンツ・レコードを再生する再生部と
を備え、
前記マルチメディア・コンテンツ・レコードの各レコードは、前記グループ再生リストのそれぞれのスロットに関連付けられ、前記グループ再生リストの各スロットは、前記マルチメディア・コンテンツ・レコードが各スロットに関連付けられる前に、前記複数のユーザの中で対応するユーザに関連付けられることを特徴とするシステム。
【請求項２０】
前記現在のレコードに関連付けられた前記マルチメディア・コンテンツ・レコードを再生している間に受信された要求に応答して、前記複数のユーザの中の前記アクティブユーザと前記複数のユーザの中の要求側ユーザとに関連付けられたそれぞれの通信端末の間で通信接続を自動的に確立する通信部をさらに備えることを特徴とする請求項１９に記載のシステム。
【手続補正２】
【補正対象書類名】明細書
【補正対象項目名】０００６
【補正方法】変更
【補正の内容】
【０００６】
マルチメディアファイル用の再生リスト等の共有を容易にする他のタイプのネットワークアプリケーションが開発されている。例えば、再生リストの共有を可能にする音楽推奨システムが提案されている。米国特許出願公開第２００４／００３０９０号明細書のディードには、インスタント・メッセージング（ＩＭ）サーバなどのインターネットサーバを用いてシステムを共有するピア・ツー・ピア媒体が記載されている。欧州特許出願公開第５１５３４０号明細書には、グローバルな関連再生リストを作成して再生するシステムが記載されている。米国特許出願公開第２００６／０８４４５６号明細書には、一時的なプッシュ・ツー・トーク（ＰＴＴ）通信に対する地域依存のバディ（buddy）リストの追加が記載されている。
【国際調査報告】
2010526452.tif 000008
2010526452.tif 000009